(57)【要約】【課題】本発明は、制限された手の動作で毛髪全体に触れることができる手袋を提供する。【解決手段】第一のシート（２）と第二のシート（３）を含み、第一のシートが接合領域（４）で第二のシートと接合し、少なくとも１つの開口部（８）を介して入ることができる空洞が接合領域（４）の片側（１１）で該２枚のシートの間に形成されている道具（１）であって、該道具は、接合領域（４）の他方の側（１３）に、該シートの少なくとも１枚により形成された少なくとも１つの柔軟な帯（１２）を有することと、該２枚のシートがそれぞれ長方形であり、該空洞が該シートに対して斜め方向に配向されることを特徴とする道具。【選択図】図３
2004190214.tif 000002
【特許請求の範囲】
【請求項１】
第一のシート（２）と第二のシート（３）を含み、第一のシートが接合領域（４）で第二のシートと接合し、少なくとも１つの開口部（８）を介して入ることができる空洞が接合領域（４）の片側（１１）で該２枚のシートの間に形成されている道具（１）であって、該道具は、接合領域（４）の他方の側（１３）に、該シートの少なくとも１枚により形成された少なくとも１つの柔軟な帯（１２）を有することと、該２枚のシートがそれぞれ長方形であり、該空洞が該シートに対して斜め方向に配向されることを特徴とする道具。
【請求項２】
１または複数の柔軟な帯が２枚のシートにより形成されることを特徴とする請求項１に記載の道具。
【請求項３】
１または複数の柔軟な帯が、ふさ（１８、１９、２４、２５、２６）を形成することを特徴とする請求項１または２に記載の道具。
【請求項４】
少なくとも１つのふさ（１８）が、該ふさの縦軸（３０）とは分かれている中間軸（２９）に沿って切断される少なくとも２つのフラップ（２８、２８´）を備えることを特徴とする請求項３に記載の道具。
【請求項５】
空洞が少なくとも１本の指を収容するための少なくとも１つの突起部（１６）を有するように、接合領域が少なくとも１つの湾曲を形成することを特徴とする請求項１ないし４のいずれか１項に記載の道具。
【請求項６】
接合領域が、手の指をそれぞれ収容するための複数の突起部を区切り、少なくとも１つの突起部が、少なくとも１つのふさ（１８、１９、２４、２５、２６）によって延長されていることを特徴とする請求項５に記載の道具。
【請求項７】
組み合わされたシートが重畳されていることを特徴とする請求項１ないし６のいずれか１項に記載の道具。
【請求項８】
少なくとも１枚のシートが不織物材料からなることを特徴とする請求項１ないし７のいずれか１項に記載の道具。
【請求項９】
化粧製品特にヘアトリートメント製品が少なくとも部分的に含浸されていることを特徴とする請求項１ないし８のいずれか１項に記載の道具。
【請求項１０】
接合領域が不連続であることを特徴とする請求項１ないし９のいずれか１項に記載の道具。
【請求項１１】
少なくとも開口部（８）を介して入ることができる空洞（１０）を該２枚のシートの間に形成するために、接合領域（４）において第一の長方形シート（２）を第二の長方形シート（３）に接合することからなる方法であって、該空洞は該接合領域（４）の片側（１１）に形成されており、該接合領域は、該道具が接合領域の他方の側（１３）に少なくとも１枚のシートにより形成された少なくとも１つの柔軟な帯（１２）を有するように形成されており、該空洞は該シートに対して斜め方向に配向されている、請求項１ないし１０のいずれか１項に記載の道具を製造するための方法。
【請求項１２】
ａ）２枚のシート（２、３）を互いに対向して配置するステージと、
ｂ）２枚のシートを該接合領域（４）において接合するステージ（Ａ）と、
ｃ）ふさ（１８、１９、２４、２５、２６）を該柔軟な帯から切断するステージ（Ｂ）、
を備える請求項１１に記載の方法。
【請求項１３】
さらに、
ｄ）該道具を帯材料の１または複数のウェブから分離するステージ、
を含む、シートを連続的な帯材料の少なくとも１つのウェブから形成することを特徴とする請求項１２に記載の方法。
【請求項１４】
接合領域を接着剤接合によって形成することを特徴とする請求項１０ないし１３のいずれか１項に記載の方法。
【請求項１５】
接合領域を熱溶接、超音波溶接等の溶接によって形成することを特徴とする請求項１０ないし１３のいずれか１項に記載の方法。
【請求項１６】
フラップ（２８、２８´）を有するようにパンチを用いてふさ自体を切断することを特徴とする請求項１２に記載の方法。
【請求項１７】
化粧製品特にヘアトリートメント製品を道具に含浸させるステージをさらに含むことを特徴とする請求項１０ないし１６のいずれか１項に記載の方法。
【請求項１８】
含浸後に乾燥させるステージをさらに含むことを特徴とする請求項１７に記載の方法。
【請求項１９】
切断特にロールを切断することによって分離ステージを実施することを特徴とする請求項１３に記載の方法。
【請求項２０】
同時に展開されるロール（３２、３４）に配せられた２つの連続的な帯から２枚のシートを形成することを特徴とする請求項１０ないし１９のいずれか１項に記載の方法。
【請求項２１】
帯の縦軸の周りに折り畳んだ帯から２枚のシートを形成することを特徴とする請求項１０ないし１９のいずれか１項に記載の方法。
【発明の詳細な説明】
【技術分野】
【０００１】
本発明は、手袋形状のアプリケータの構造に関する。特に、概して毛髪および頭皮をマッサージするために使用される手袋の分野に関する。ボディ洗浄用手袋が既に知られており、これらは綿またはスポンジで作られる。本発明の利点は、制限された手の動作で毛髪全体に触れることができる手袋を提供することである。
【背景技術】
【０００２】
その最も単純な実施態様では、洗浄用手袋は長方形であって、該長方形の端の一つと同じ高さに開口部が形成されるように２枚の布を接合して、使用者の手を２つの布の間に入れることができるように製造される。使用者は、ボディ用衛生製品を自分の肌に塗布するために、手袋を該製品で湿らせ含浸させてもよい。
【発明の開示】
【発明が解決しようとする課題】
【０００３】
水を利用できる機会が少ない旅行者の需要を満たすために、乾燥塗布においても効果的な、ボディ用衛生製品が含浸された手袋が開発されている。特に、メーキャップ除去製品、または、肌を清潔にするための泡製品、または、デオドラントおよび／または清涼組成物が含浸された（概して布地が長方形状である）フランネルが知られている。
【０００４】
このようなフランネル、特にヘアケア製品が含浸されたフランネルを毛髪分野で用いた場合、取扱いが難しく、最善の結果が得られないという問題に直面する。これは、毛髪をマッサージするとすぐにフランネルが巻き上がるためである。従って、フランネルをしっかりと手に保持することが必要であるが、この手の動作は、毛髪全体と最大限接触させるのに適した手の動作とは相容れない。その結果、毛髪全体ではなく、表面しかマッサージされないこととなる。
【０００５】
毛髪全体のマッサージを改善するために手袋を使用することが知られている。しかし、これらの手袋は、使用者の手の周囲にフィットし、手袋の各指によって毛髪全体に貫通できる。
【０００６】
従来技術において、英国特許公報第２，０３５，０５２号では、シャンプーを塗布するときに毛髪をマッサージする防水手袋が開示されている。この手袋の各指には、該指の外側表面から放射状に伸びる小さな円錐状の突起が形成されている。この手袋はプラスチック材で鋳造されているので、化粧または衛生製品を含浸させるのに適した媒体でない。実際は、肌または毛髪に塗布するための衛生製品を含浸させるために吸収材料を選択することが好ましい。
【特許文献１】英国特許公報第２，０３５，０５２号
【０００７】
使用できる吸収材料は例えば、フランネルを製造するために提供されるものである。そのような材料からなり、そのような物質が含浸された手袋が提起する問題は、その製造費用が高いということである。というのは、独立した指を有する手袋を製造するためには、２枚の吸収性の布地を接着剤で接合し、次に、指を１本ずつ個別化するための鋳型に従ってそれを切断するからである。従って、使用される布地の量と実際に製造される手袋の数の間で損失が発生する。この損失は回収できず、さらには、製造工程においてリサイクルステージが求められる。最後に、手袋が製造されると、それらは、対応する個数の、製品が含浸されることとなる包装されたユニットを形成する。これらのユニットのそれぞれの取扱いは難しい。さらに、布地を予め含浸しておくことは不可能である。これは、予め布地に含浸すると布地は手作業でしか切断できず、この作業には時間と手間がかかるためである。
【０００８】
含浸後に切断する場合、手袋の手作業切断には、細菌汚染の危険があるので、製造された手袋を消毒するステージがさらに必要となる。この最後のステージにより、製造工程が増える。
【課題を解決するための手段】
【０００９】
本発明の目的は、使用者が手を挿入できる空洞を設けた手袋を提供することにより上記の課題を克服することである。この手袋は、該手袋により提供される接触領域を拡大するために、手袋の外側の輪郭から延長する複数の部分を含む。特に、かかるグローブを装着した使用者が毛髪全体にその手を通すとき、該部分は、その数に応じて、毛髪との接触領域を広げる。本書では、これらの部分は、手袋の構成材料が、手を挿入することができる空洞の厳密な外側の輪郭を越えて延長する部分に相当する。実際、使用者が手袋に自分の手、特に手袋の指の１本に自分の指の１本を挿入すると、その内部輪郭が使用者の指と適合していても、その外部輪郭の周囲には緩み部分がある。このように作られた手袋は、手袋と手袋の指の外部輪郭により形成された接触領域に加えて、かかる部分により作り出された外側表面を有する。
【００１０】
手が挿入される空洞は、第一の布と第二の布を接合する接合領域によって区切られる。さらに手は、該接合領域で閉じられていない開口部から、これら２つの布の間に挿入される。
【００１１】
これによって、特に、毛髪のほとんどの外側輪郭と接触しながら毛髪をマッサージできる、接触領域の広い手袋が提供される。このようにして、毛髪のマッサージが改善される。これは、毛髪の洗浄、またはケア、染色等のためのトリートメントの毛髪への塗布を目的とする場合、均等な結果を得るためには、各毛髪に触れ、且つ、毛髪全体で全長に接触することが絶対的に必要であることに因る。本発明ではそのような結果が得られる。
【００１２】
本発明は、第一のシートと第二のシートを含み、第一のシートが接合領域で第二のシートと接合し、少なくとも１つの開口部を介して入ることができる空洞が接合領域の片側で該２枚のシートの間に形成されている道具であって、該道具は、接合領域の他方の側に、該シートの少なくとも１枚により形成された少なくとも１つの柔軟な帯を有することと、該２枚のシートがそれぞれ長方形であり、該空洞が該シートに対して斜め方向に配向されることを特徴とする道具を提供する。
【００１３】
従って、組み合わされるシートのそれぞれが実質的に長方形である場合、接合線で手袋の形状を画定するときに特に、柔軟な帯が最長となるように、空洞は該シートに対して斜め方向に配向される。好適には、そのような配向により、手袋の開口部は長方形の１つの角に現れ、接合領域は、２枚のシートの、２つの独立し且つ直交する端のそれぞれに向かって開口する。次に、好適には、長方形の対角線に沿うように手が手袋の中へ入れられる。従って、かかる手袋に入れられた手の拳の周りに位置することとなる柔軟な帯の割合を制限することと、例えば従来の手の動作により毛髪に触れることができるシートの領域を最大化することが容易となる。
【００１４】
製造方法を単純化し、互いに対向する２枚のシートの配置に関してある程度の許容誤差を得るために、これらの２枚のシートのそれぞれは柔軟な帯を有していてよい。例えば、柔軟な帯が同一の形状を有し、重畳されるように、２枚のシートは同一の寸法を有し、重畳される。
【００１５】
毛髪全体の各毛髪との接触を改善するために、（１または複数の）柔軟な帯は、（１または複数の）ふさを形成する。ふさは、それ自体柔軟であって、毛髪本体において、互いに対して無差別に配向される。このように、さらなる接触領域がふさによって無作為に生じる。
【００１６】
これらの無作為的な配向を拡大して接触を拡げるために、ふさは少なくとも２つのフラップを含む。例えばフラップは、ふさの縦軸とは分かれている中間軸に沿って切断される。
【００１７】
接合領域は、空洞が少なくとも指１本を収容するための少なくとも１つの突起部を有するように、少なくとも１つの湾曲部を形成する。接合領域は理想的には、それぞれが手の１本の指を収容するための複数の突起部を区切っており、空洞は手袋を形成する。少なくとも１つの突起部はさらに、少なくとも１つのふさによって延長する。
【００１８】
少なくとも１つのシートは不織物からなってよい。この種類の不織物材料には、少なくとも部分的に、化粧製品、特に毛髪トリートメント製品が含浸され得る。
【００１９】
ある変形例では、接合領域は不連続である。この場合、空洞は複数の開口部を有する。
【００２０】
本発明はさらに、費用が安価で且つ、産業的に使用が容易な、単純化された製造方法により、かかる手袋を得ることを可能とする。これは、本発明の製造方法が、損失を発生させず、手袋の切断がさらに単純化され、製造鎖を中断させることなく連続的に実施できることによる。
【００２１】
特に、該方法は、接合領域において２枚の長方形のシート材料を組み合わせ、該接合領域の片側で２枚のシートの間に、少なくとも１つの開口を介して入ることができる空洞を形成することに関する。接合領域は、該シートの少なくとも１枚が該領域の他方の側に柔軟な帯を形成し、且つ、空洞がシートに対して斜め方向に配向されるように設けられる。
【００２２】
好適には、このように画定された柔軟な帯は次に、かかる部分の位置を画定するように切断される。これらの部分またはふさは、フラップを形成するようにそれ自体切断されてよく；例えばかかる部分およびそのフラップは、パンチを用いて切断することにより作られてもよい。
【００２３】
少なくとも１つのウェブから連続的な帯材料を連続的に製造する方法の場合、かかる部分の切分けはウェブの端と交わらない。よって、ウェブを容易に取り扱うことができる。この場合、シートは、（１または複数の）帯材料のウェブから上記のように形成された手袋を分離するために、例えば、ロール切断によって最後のステージで切断される。
【００２４】
より特定すれば、連続方法において、２枚のシートは、同時に展開されるロール上に配された２つの帯から形成されるか、または、該２枚のシートは、展開されその縦軸の周りに折り重ねられる１つの帯から形成される。該縦軸は好適には、ウェブの展開軸に平行に画定される。
【００２５】
以下の記載を読み、添付図面を観察することにより、本発明はより明確に理解されるであろう。これらは例示としてのみ記載されており、本発明を限定するものではない。
【発明を実施するための最良の形態】
【００２６】
図１は本発明の道具１を示す。道具１は袋状であり、図１においてその上部シートとして示されている第一のシート２と、下部シートとして示されている第二のシート３を含む。この実施例では、シート２と３は互いに向き合い、重畳している。これらのシートは、接合領域４の少なくとも片側で袋を画定するように接合領域４で接合されている。この接合領域４は、少なくとも１つの湾曲を含み、この湾曲の内側に袋が現れる。さらに、このように組み合わされたシートの間に使用者が手を入れられるように、袋は開口している。好適には接合領域４は、道具１のシートの外形でなく、内側で画定されている。
【００２７】
シート２と３は、接着剤接合、熱溶接、超音波または高周波溶接等のアセンブリ手段で接合される。好適には、シートの構成材料に適したアセンブリ手段が選択される。
【００２８】
シートは好適には、不織物材料からなる。例えば、７０％ビスコースおよび３０％ポリエチレンテレフタレートからなる材料が選択される。溶液を含浸できるような吸収材料が好ましい。例えば、ボディ用衛生製品、またはより特定すれば、シャンプー、髪染め、補水剤または固定剤（毛髪をセットする製品）等のヘアケア製品を含浸させる。このシートは例えば、厚さが７０グラム／ｍ２のオーダーの密度を有する厚みが薄い平坦形状である。
【００２９】
図１の実施例では、シート２と３は長方形であって、厳密に対向する少なくとも３つの共有境界５，６，７を有する。これらの３つの境界のうち、境界５と７は、接合領域４を通じて接合しており、一方、境界６は、シート２と３がこの境界を通じて接合していないことから「開口」しているとされる。従って、境界６は開口部８を有する。使用者は例えば、開口部８から手を入れて、シート２と３の間に配置する。
【００３０】
接合領域４は、図１の実施例では連続している。特に、接合領域４の線分９は、境界５と７とを接続する。シート２と３は、この線分９において接合している。従って、道具１は、これら２枚のシート２と３の間に空洞１０を形成し、この空洞１０へは、開口部８からのみ入ることができる。
【００３１】
接合領域４に対して、空洞１０は、線分９の第一の側１１、つまり図１の左側にある。一方、柔軟な帯１２は、線分９の第二の側１３にある。柔軟な帯１２は、接合領域４を超えて続くシート２または３の一部分に対応している。図１では、第一のシート２が接合領域４を超えて続き、この柔軟な帯１２を形成している。従って、接合領域４の線分９は、シート２の境界ではない。柔軟な帯１２は、シート２の残りの部分に対して可動的であり、シート２の該部分は、第二のシート３とともにしっかりと保持されている。例えば、この柔軟な帯１２は、センチメートルのオーダーの長さに亘って線分９に対して直角に延びている。例えばこの長さは、０．５センチメートルないし５センチメートルである。
【００３２】
あるいは、接合領域４は、道具１が柔軟な帯１２のような少なくとも１つの突起部を有する限り、不連続であってもよい。
【００３３】
または、２枚のシート２および３が、柔軟な帯１２のような柔軟な帯を有していてもよい。この場合、第二のシート３は、第二の柔軟な帯１４を有する。柔軟な帯１２および１４は、必ずしも同一形状でなく、重畳されなくてもよい。それらは、互いから独立している。事実上、シート２および３は、必ずしも同一形状でなく、部分的に相互に対向しているだけでもよい。
【００３４】
他の実施例では、柔軟な帯は、接合領域の全長に亘り形成されてもよい。この場合、柔軟な帯１２は、接合領域４の全体または一部分に亘って第二の側１３を超えて延びる。
【００３５】
図２に図示された好適な実施態様では、道具１は長方形であり、ここでの接合領域４は、連続的であり、空洞１０の突起部１６を形成するための少なくとも１つの湾曲部１５を有する。突起部１６は、より特定すれば空洞１０が管状に延びた部分である。この環状延長部１６は特に、使用者の指を収容できるように設けられる。好適には接合領域４は、複数の湾曲部分を形成し、該部分は共に接合されて、管状延長部１６のような複数の管状延長部を形成する。例えば、空洞１０は、それぞれが手の指の１本を入れるための、１６のような５本の管状延長部を有する。この場合、各５つの延長部の内側輪郭は、収容されることとなる指（親指、人差し指、中指、薬指または小指）の形状に適合する形状であってよい。
【００３６】
このように、袋は、接合領域４の第一の側１１に手袋を画定する。接合領域４の第二の側１３は、接合領域４を超えて続く柔軟な帯１２および任意で柔軟な帯１４である。
【００３７】
手袋の指部を互いから分離するために、柔軟な帯１２の切分け線１７を設ける。次に、帯１２を少なくとも２つのふさ１８と１９にそれぞれ分離する。切分け線１７は、柔軟な帯１２で、実質的に接合領域４に達するまで、接合領域４に交わる軸に沿って設けられる。さらに、切分け線１７は、道具１を囲む（この例では長方形の）表面の境界２０まで続く。従って２つのふさ１８および１９は、接合領域４で保持され、シート２と連続した状態のままでいる。さらに、ふさ１８および１９は、一方で切分け線１７および長方形の境界２０によって画定される。
【００３８】
手袋が５本指を有する場合、このために、１７のような切分け線が４つ、１７、２１、２２、および２３がそれぞれ設けられる。従って、柔軟な帯は、５つのふさ、１８、１９、２４、２５および２６にそれぞれ分割される。例えば、切分け線１７は、「人差し指」から「親指」を分離し、ふさ１８が「親指」の周りにできる。切分け線２１は、「中指」から「人差し指」を分離し、ふさ１９が「人差し指」の周りにできる。切分け線２２は、「薬指」から「中指」を分離し、ふさ２４が「中指」の周りにできる。切分け線２３は、「小指」から「薬指」を分離し、ふさ２５が「薬指」の周りにでき、最後にふさ２６が「小指」の周りにできる。
【００３９】
手の縦軸２７は、前腕の軸と同一軸として設けられており、特に指が前腕と平行している場合には、縦軸は、前腕の軸の延長先で画定されている。好適には、開口部８は、手の縦軸２７が、手袋が形成されている長方形に対して斜めになるように、設けられる。図２において、開口部８は、該長方形の角に形成されている。この目的のために、接合領域４は、長方形の外側輪郭上において角の両側の２点で開口し、この２点の間に開口部８が形成される。本実施例では、第一の点は第一の端５０の高さで開口し、第二の点は第一の端５０に隣接している第二の端５１の高さで開口する。この場合、２つの端５０および５１は、直交して示されている。
【００４０】
道具１は、それぞれが接合領域４を超えて続くシート２および３である、２つの柔軟な帯１２および１４を有する場合、好適には、第二の帯１４も、帯１２のふさのようなふさを有する。２つの帯１２および１４のふさは、好適には同時に切断される。
【００４１】
ふさを、少なくとも２つのフラップ２８および２８´を有するように切断してもよい。このフラップは、中間切分け軸２９に沿って設けられる。例えば、ふさ１８は、少なくとも１つの中間切分け軸２９を有し、少なくとも２つのフラップ２８と２８´を形成する。図２において、ふさ１８は、２９のような６つの中間切分け線２９により分離される、２８および２８´のような７つのフラップを有する。これら中間切分け線２９のそれぞれの軸は、接合領域４まで続く。例えば、各フラップの端は、接合領域４の一部分に相当する。あるいは、かかるフラップは、互いに平行な軸に沿って切断されてもよく、この場合には、全てのフラップの端が接合領域４により形成されるわけではない。
【００４２】
好適には、ふさの縦軸３０は、突起部１６の主延長軸（つまり、該突起部に挿入される指に沿った軸）にほぼ対応するように設けられる。接合領域４は、この縦軸３０の各側に湾曲した接合部分を有する。よって中間切分け軸２９は、この縦軸３０とは分かれている。
【００４３】
ふさとフラップを設けることにより、手袋の面積を拡大することができ、特に、その内側で手袋が画定される、本実施例では長方形の表面に含まれている全ての材料を完全に利用できる。図３に図示されたように、ふさとフラップにより、毛髪表面との接触が増加し、さらに、頭皮マッサージが改善される。指が毛髪全体を複数の塊に分け、様々なフラップとふさがこれらの塊に無差別に入り込む。
【００４４】
道具１の製造方法は、複数のステージで実施される。第一ステージでは、２枚のシート２および３を組み合わせる。
【００４５】
１のような道具を複数製造するための連続的方法の場合、シート２および３は、連続的な帯材料の少なくとも１つのウェブ内に形成される。
【００４６】
図４において、シート２は、ロール３２の状態で蓄えられた第一のウェブ３１にでき、第二のシート３は、第二のロール３４の状態で蓄えられた第二のウェブ３３にできる。この場合、ロール３２と３４は、２つのウェブ３１と３３を対向させるように同時に展開される。ロールは、矢印３５に沿って、図４と５では左から右へ展開される。
【００４７】
かかる連続製造方法の他の例では、一個のロールが提供され、ロールを展開すると、これに対応する連続帯素材のウェブが、折り畳んで２層または２つの帯部分を形成することができる幅を有し、各部分は、互いに対向する２枚のシート２および３を形成できる。該ウェブは、徐々に展開されながら、その縦軸（例えばその主延長軸）の周りに折り畳まれる。
【００４８】
第二のステージＡでは、２枚のシート２および３は、少なくとも接合領域４で互いに接合される。例えばこの接合は、接着剤接合または、熱溶接または超音波溶接等の溶接により実施される。
【００４９】
（１または複数の）ウェブは、ロールを展開する機械装置によって給送される。ウェブは展開されると、この接合が可能な器具の下に給送される。この器具は、その下を移動しているウェブに、一定間隔で接合領域の模様を作る。複数の接合線を有する帯がこのようにして得られ、最終的に、１のような道具を複数作ることができる。好適には、接合領域の模様が作成される規則性は、ウェブの送り速度の関数として定義される。
【００５０】
例えば接合領域は、ウェブの自由端まで形成され、該自由端はウェブの縦軸に平行に画定される。従って、ウェブの自由端は、例えば将来の第二の端５１を形成することとなる端である。
【００５１】
接合領域４を含むシートまたは適切ならばウェブ部分は次に、第三のステージＢで切断される。この切断により、特に、１７のような切分け線と、２９のような中間切分け線が形成される。図５において上部から見たウェブ３１は、接合領域の模様だけでなく、１７および２９のような切分け線の模様も有する。
【００５２】
この第三ステージＢの間に提供される切断は、例えばパンチを用いてなされる。例えば、下を移動しているウェブに形成されることとなる切断模様に沿った刃を外側輪郭に有する筒が切断のために提供される。この切断位置が接合領域４に対してオフセットとすべき場合には、刀の付いた筒の回転速度もまた、ウェブの送り速度の関数として規定されるので、切断はほぼ接合領域４まで続く。
【００５３】
図示していない変形例で、ウェブの給送を容易化するために、模様は、ウェブの残りから模様が依然として分離されないように切断される。切断完了後でさえも、ウェブは断片を有さない平坦な形状のままであるから、このウェブが形成している平面を拡げるおそれがない。よってこの例では、ウェブの端までは切断しないので、ウェブには断片ではなく欠刻のみが形成される。
【００５４】
最後に、最終ステージＥで、接合領域４および切分け線１７および２８を含む部分をウェブの残りから分離する。この最後のステージでは、例えば、切断ロール下に通過させて長方形３６をウェブの残りから分離できる。この最後のステージは、特に長方形３６の境界２０、特に第一の端５０を形成する切断を実施する。いまだそうでない場合には、長方形３６は、接合領域４がこの境界２０の２点で開口し、この２点の間で開口部８を形成するように切断される。手袋の内側輪郭を特定できるように、接合領域４はさらに長方形３６の内側に連続的に形成される。
【００５５】
あるいは、含浸ステージＣを設けてもよく、その後に任意で乾燥ステージＤが続く。両ステージは、最終ステージＥの予備ステージとして設けられる。ステージＣおよびＤは、２枚のシートの一方の少なくとも一部分に実施され得る。
【００５６】
当該連続的方法の場合、接合と切断がなされた当該２つのウェブの一方の少なくとも一部分は、化粧溶液を充填させた浴槽３７を通って給送される。変形例では、目的とするパッケージに応じて浴槽３７での含浸後に乾燥ステージＤを設けることもでき、該乾燥は、長方形３６が残りのウェブから切離される最終ステージＥの前に行われる。
【００５７】
ウェブを連続的に展開する場合、ウェブ幅に応じて、１のような道具を複数、同一のウェブ上で同時に作ってもよい。
【００５８】
同様に、ウェブ幅に応じて、１のような道具を複数、同一のウェブ上で連続的に作ってもよい。
【図面の簡単な説明】
【００５９】
【図１】本発明の中空道具の外形図。
【図２】本発明の道具の好適な実施態様の平面図。
【図３】本発明の道具の好適な実施態様の外形図。
【図４】本発明の中空道具の製造方法の概略図。
【図５】図４の方法で利用されるウェブの平面図。
【符号の説明】
【００６０】
１                            道具
２、３                        シート
４                            接合領域
８                            開口部
９                            線分
１０                          空洞
１２、１４                    柔軟な帯
１５                          湾曲部
１６                          突起部
１７、２１、２２、２３        切分け線
１８、１９、２４、２５、２６  ふさ
２７                          手の縦軸
２８、２８´                  フラップ
２９                          中間切分け線
３０                          ふさの縦軸
２０、５０、５１              長方形の境界
３１、３３                    ウェブ
３２、３４                    ロール
３６                          長方形
３７                          浴槽
【図１】
2004190214.tif 000003
【図２】
2004190214.tif 000004
【図３】
2004190214.tif 000005
【図４】
2004190214.tif 000006
【図５】
2004190214.tif 000007